(57)【要約】【課題】  画像診断に専念できる画像表示装置及び画像診断装置を提供する。【解決手段】  撮影部６で生成された第１の画像データを画像処理する画像データ処理部７１と、第１の画像データ又は画像データ処理部７１で画像処理された第２の画像データを表示する第１の表示エリア７９及び表示情報を表示する第２の表示エリア８０により構成されるモニタ７５と、モニタ７５に表示するための表示データや診断用データを生成する表示データ生成部７３とを備え、表示データ生成部７３は、第１の表示エリア７９に第１又は第２の画像データを表示すると共に第２の表示エリア８０に表示した表示情報をマスク処理して表示するための第１の診断用データの生成、又は第１の表示エリア７９に表示した第１又は第２の画像データを所定の倍率で拡大した第２の画像データを、第１及び第２の表示エリア７９，８０に表示するための第２の診断用データの生成を行う。【選択図】  図１
2008073086.tif 000002
【特許請求の範囲】
【請求項１】
画像診断装置から得られた第１の画像データ又はこの第１の画像データを画像データ処理手段により画像処理して生成された第２の画像データを表示する第１の表示エリアと、この第１の表示エリアに表示される前記第１又は第２の画像データを画像処理するための操作情報を含む表示情報を表示する第２の表示エリアとを有する表示手段と、
前記第１の表示エリアに前記第１又は第２の画像データを表示すると共に前記第２の表示エリアに表示する前記表示情報を、所定の色又は模様でマスク処理して表示するための第１の診断用データの生成を行う、又は前記第１の表示エリアに表示する前記第１又は第２の画像データを所定の倍率で拡大した第２の画像データを表示するための第２の診断用データの生成を行う表示データ生成手段とを
備えたことを特徴とする画像表示装置。
【請求項２】
前記画像データ処理手段による画像処理の操作情報を設定する特定操作設定手段を有し、
前記表示データ生成手段は、前記特定操作設定手段により設定された操作情報に基づいて、前記第１又は第２の診断用データを生成するようにしたことを特徴とする請求項１に記載の画像表示装置。
【請求項３】
前記第１又は第２の診断用データを生成するための診断表示モード設定手段を有し、
前記表示データ生成手段は、前記診断表示モード設定手段により設定された診断表示モードの情報に基づいて、前記第１又は第２の診断用データを生成するようにしたことを特徴とする請求項１に記載の画像表示装置。
【請求項４】
前記第１の表示エリアは、前記第１又は第２の画像データの付帯情報を表示する付帯情報表示エリア、及び前記第１又は第２の画像データの付帯情報を除く画像データを表示する画像データ表示エリアを有し、
前記表示データ生成手段は、前記画像データ表示エリアに前記画像データを表示すると共に、前記第２の表示エリア及び前記付帯情報表示エリアに表示した前記表示情報及び付帯情報を前記所定の色又は模様でマスク処理して表示するための第２の診断用データを生成するようにしたことを特徴とする請求項１に記載の画像表示装置。
【請求項５】
被検体を撮影して第１の画像データを生成する撮影手段と、
前記撮影手段により生成された第１の画像データを画像処理して第２の画像データを生成する画像データ処理手段と、
前記第１又は第２の画像データを表示する第１の表示エリア、及びこの第１の表示エリアに表示される前記第１又は第２の画像データを画像処理するための操作情報を含む表示情報を表示する第２の表示エリアを有する表示手段と、
前記第１の表示エリアに前記第１又は第２の画像データを表示すると共に前記第２の表示エリアに表示する前記表示情報を所定の色又は模様でマスク処理して表示するための第１の診断用データの生成を行う、又は前記第１の表示エリアに表示する前記第１又は第２の画像データを所定の倍率で拡大した第２の画像データを表示するための第２の診断用データの生成を行う表示データ生成手段とを
備えたことを特徴とする画像診断装置。
【発明の詳細な説明】
【技術分野】
【０００１】
本発明は、画像表示装置及び画像診断装置に係り、特にＸ線、ＭＲＩ、超音波等の撮影によって得られた画像データを表示する画像表示装置及び画像診断装置に関する。
【背景技術】
【０００２】
Ｘ線画像診断装置、Ｘ線ＣＴ装置、ＭＲＩ装置、超音波診断装置などの画像診断装置においては、これらの画像診断装置の撮影装置から得られた画像データに対して、拡大、縮小、階調などの様々な処理を行い、更には三次元の画像データに処理して表示する画像表示装置を備えている。そして、被検体を撮影して画像表示装置に表示された画像データを読影して画像診断が行われる。
【０００３】
Ｘ線画像診断装置では、近年ではカテーテルを用いた血管造影検査やＩＶＲ（Ｉｎｔｅｒｖｅｎｔｉｏｎａｌ  Ｒａｄｉｏｌｏｇｙ）の発展に伴い循環器分野を中心に進歩を遂げている。循環器領域におけるＸ線画像診断は心血管系をはじめ、全身の動静脈を対象としており、血管内に造影剤を注入した状態で撮影を行い、画像表示装置に表示された血管の画像データを読影して診断が行われ、更に治療が行われる。しかしながら、画像表示装置に表示された画像データの読影等の観察により、観察者の眼が疲れて集中できない問題がある。
【０００４】
この問題を解決するために、画像データが表示される画面の周辺に画面の周辺輝度を検知する周辺輝度測定部と、この周辺輝度測定部で測定された輝度に応じて画像データの輝度を制御する制御回路と、この制御回路からの制御信号に基づいて指定された輝度の画像データを画面に表示する画面表示回路と、画面のピーク輝度を所定の計算式を用いて算出し、制御回路へ送出する演算回路とを設けた画像表示装置が知られている（例えば、特許文献１参照。）。
【０００５】
この画像表示装置では、画面に表示される画像データの輝度を周辺輝度に対して随時自動的に調和させ、常に最適な条件を保つことができるので、観察者の眼の疲れを低減することでできる。
【特許文献１】特開平４−１７９９号公報
【発明の開示】
【発明が解決しようとする課題】
【０００６】
しかしながら、画像診断装置の画像表示装置に表示された画像データの周辺には、この画像データの画像処理に関する文字表示されたメニューや小さな絵や記号で彩られたアイコンの操作情報等の表示情報が表示されるため、それらの表示情報が目障りになって診断に集中できない問題がある。
【０００７】
本発明は、上記問題点を解決するためになされたもので、画像診断に専念できるようにした画像表示装置及び画像診断装置を提供することを目的とする。
【課題を解決するための手段】
【０００８】
上記問題を解決するために、請求項１に記載の本発明の画像表示装置は、画像診断装置から得られた第１の画像データ又はこの第１の画像データを画像データ処理手段により画像処理して生成された第２の画像データを表示する第１の表示エリアと、この第１の表示エリアに表示される前記第１又は第２の画像データを画像処理するための操作情報を含む表示情報を表示する第２の表示エリアとを有する表示手段と、前記第１の表示エリアに前記第１又は第２の画像データを表示すると共に前記第２の表示エリアに表示する前記表示情報を、所定の色又は模様でマスク処理して表示するための第１の診断用データの生成を行う、又は前記第１の表示エリアに表示する前記第１又は第２の画像データを所定の倍率で拡大した第２の画像データを表示するための第２の診断用データの生成を行う表示データ生成手段とを備えたことを特徴とする。
【０００９】
また、請求項５に記載の本発明の画像診断装置は、被検体を撮影して第１の画像データを生成する撮影手段と、前記撮影手段により生成された第１の画像データを画像処理して第２の画像データを生成する画像データ処理手段と、前記第１又は第２の画像データを表示する第１の表示エリア、及びこの第１の表示エリアに表示される前記第１又は第２の画像データを画像処理するための操作情報を含む表示情報を表示する第２の表示エリアを有する表示手段と、前記第１の表示エリアに前記第１又は第２の画像データを表示すると共に前記第２の表示エリアに表示する前記表示情報を所定の色又は模様でマスク処理して表示するための第１の診断用データの生成を行う、又は前記第１の表示エリアに表示する前記第１又は第２の画像データを所定の倍率で拡大した第２の画像データを表示するための第２の診断用データの生成を行う表示データ生成手段とを備えたことを特徴とする。
【発明の効果】
【００１０】
本発明によれば、撮影により得られた画像データ又はこの画像データを画像処理した後の画像データをモニタに表示すると共に画像データの周辺に表示する表示情報のエリアを予め設定した所定の色或いは模様で表示することができる。また、画像データ及び表示情報を表示したエリアに、その画像データを拡大して表示することができる。これにより、診断に、より専念することが可能となり、診断の迅速化を図ることができる。
【発明を実施するための最良の形態】
【００１１】
本発明の実施例を説明する。
【実施例】
【００１２】
以下、本発明によるＸ線画像診断装置の実施例を、図１乃至図７を参照して説明する。なお、本発明は、Ｘ線ＣＴ装置、ＭＲＩ装置、超音波診断装置等の画像診断装置にも適用可能である。
【００１３】
図１は、本発明の実施例に係るＸ線画像診断装置の構成を示したブロック図である。このＸ線画像診断装置１００は、被検体ＰにＸ線を照射して第１の画像データを生成する撮影部６と、撮影部６で生成された第１の画像データを表示するための表示データや診断に用いる診断用データを生成して表示する画像表示部７と、画像表示部７に表示する診断用データを生成するための診断表示モード（表示情報マスクモード、拡大モード、表示情報及び付帯情報マスクモード）の設定、被検体Ｐの被検体ＩＤや氏名等の被検体情報、撮影時刻、撮影角度、天板位置、静止画像或いは動画像、動画像の場合のフレームレート及び照射時間等の撮影条件の設定、種々のコマンドの入力等を行う操作部８と、撮影部６及び画像表示部７を統括して制御するシステム制御部９とを備えている。
【００１４】
撮影部６は、被検体ＰにＸ線を照射するＸ線発生部１と、被検体Ｐを透過したＸ線を二次元的に検出してＸ線投影データを生成するＸ線検出部２と、Ｘ線発生部１及びＸ線検出部２を支持するＣアーム３２ａと、被検体Ｐが載置される天板３１ａと、Ｘ線発生部１におけるＸ線照射に必要な高電圧を発生する高電圧発生部４と、Ｃアーム３２ａの角度及び天板３１ａの位置を設定する機構部３と、Ｘ線検出部２で生成されたＸ線投影データから第１の画像データの生成や保存を行なう画像データ生成部５とを備えている。
【００１５】
Ｘ線発生部１は、陰極（フィラメント）から放出された電子を高電圧により加速し、陽極に衝突させてＸ線を発生するＸ線管１１と、Ｘ線管１１と被検体Ｐの間に位置し、Ｘ線管１１から発して被検体Ｐに照射するＸ線の照射範囲を制限するＸ線絞り器１２とを備えている。
【００１６】
そして、静止画像の撮影条件（被検体情報、撮影時刻、画像の拡大率、撮影角度、天板位置等）に基づいて高電圧発生部４から供給される高電圧により、１フレームの画像データを生成するための１ショットのＸ線を発生する。また、動画像の撮影条件（被検体情報、撮影時刻、画像の拡大率、天板位置、複数の撮影角度、フレームレート、照射時間等）に基づいて高電圧発生部４から各撮影角度で照射時間供給される複数パルスの高電圧により、各撮影角度で照射時間にフレームレートを乗じたフレーム数の画像データを生成するためのＸ線を発生する。
【００１７】
Ｘ線検出部２は、被検体Ｐを透過したＸ線を検出して光に変換するイメージインテンファイア２１と、イメージインテンシファイア２１からの光を撮影して電気信号に変換するテレビカメラ２２と、テレビカメラ２２からの電気信号をデジタル信号に変換する図示しないＡ／Ｄ変換器とを備え、デジタル信号に変換された信号をＸ線投影データとして画像データ生成部５へ出力する。なお、被検体Ｐを透過したＸ線を検出して電荷に変換する平面検出器を用いるようにしてもよい。
【００１８】
そして、イメージインテンシファイア２１は、Ｘ線発生部１のＸ線管１１に対して位置を前後に移動可能な移動機構を備え、Ｘ線管１１とイメージインテンシファイア２１間の距離（ＳＩＤ）を調整できるようになっている。また、イメージインテンシファイア２１は、被検体Ｐを透過したＸ線を入射する図示しないＸ線受像面を有し、電極電圧を制御して、Ｘ線受像面におけるＸ線の入力視野サイズ（ＦＯＶ）を調整できるようになっている。
【００１９】
機構部３は、被検体Ｐが載置された天板３１ａを長手方向、幅方向、及び上下方向への移動を行う天板移動機構３１と、Ｘ線発生部１及びＸ線検出部２を支持するＣアーム３２ａを被検体Ｐの周囲に回動するＣアーム回動機構３２と、システム制御部９から供給される制御信号に基づいて天板移動機構３１及びＣアーム回動機構３２を制御するＣアーム・天板機構制御部３３とを備えている。
【００２０】
Ｃアーム・天板機構制御部３３は、天板移動機構３１に配置した天板３１ａの移動距離を検出する例えばエンコーダなどのセンサを有し、このセンサから出力される信号に基づいて天板移動機構３１を制御する。この制御により、天板移動機構３１は、天板３１ａを移動して所望の位置に設定する。
【００２１】
また、Ｃアーム回動機構３２に配置したＣアーム３２ａの回動角度を検出するエンコーダなどのセンサを有し、このセンサから出力される信号に基づいてＣアーム回動機構３２を制御する。この制御により、Ｃアーム回動機構３２は、Ｃアーム３２ａを回動して、Ｘ線発生部１及びＸ線検出部２を所望の撮影角度に設定する。そして、その撮影角度に設定した角度設定信号をシステム制御部９に出力する。
【００２２】
更に、システム制御部９からの制御信号に基づいて被検体Ｐの診断対象部位に対して最適なＳＩＤを設定する。
【００２３】
高電圧発生部４は、Ｘ線発生部１のＸ線管１１の陰極から発生する熱電子を加速するために陽極と陰極の間に印加する高電圧を供給する高電圧発生器４１と、システム制御部９から供給される制御信号に基づいて高電圧発生器４１を制御するＸ線制御器４２とを備えている。
【００２４】
高電圧発生器４１は、Ｘ線制御器４２からの制御信号に基づいて、静止画像用のＸ線を発生させるための高電圧をＸ線管１１に供給する。また、Ｃアーム３２ａが回動して各撮影角度に設定された後に、動画像用のフレームレートに対応するパルスの高電圧をＸ線管１１に照射時間供給する。Ｘ線制御器４２は、システム制御部９から供給される静止画像や動画像の撮影条件の情報に基づいて、高電圧発生器４１を制御する。
【００２５】
画像データ生成部５は、画像データ記憶回路５１を有し、Ｘ線検出部２よりライン単位で出力されるＸ線投影データから画像データを生成し、更にシステム制御部９から供給されるその画像データに対応する撮影条件を付帯した第１の画像データを生成した後、その生成した第１の画像データを画像データ記憶回路５１に保存すると共に画像表示部７に出力する。
【００２６】
画像表示部７は、撮影部６の画像データ生成部５から出力された第１の画像データを画像処理して第２の画像データを生成する画像データ処理部７１と、画像データ処理部７１で画像処理するためのメニューやアイコンなどの表示情報を作成する表示情報作成部７２と、画像データ処理部７１で生成された第２の画像データ及び表示情報作成部７２で作成された表示情報を処理して診断用データを生成する表示データ生成部７３と、表示データ生成部７３で生成された診断用データを変換して映像信号を生成する変換回路７４と、この映像信号を表示するモニタ７５とを備えている。
【００２７】
画像データ処理部７１は、画像データ生成部５から出力された第１の画像データを表示データ生成部７３に出力する。また、操作部８から画像処理の操作が行われると、画像データ生成部５から出力された第１の画像データに対して、拡大、縮小、階調の調整、ネガ像からポジ像への反転又はその逆への反転、コメントの挿入等の画像処理を行って第２の画像データを生成する。そして、その生成した第２の画像データを表示データ生成部７３に出力する。
【００２８】
更に、診断表示モードの中から拡大モードが予め設定されている場合に操作部８から診断用データを生成するための診断操作や特定操作が行われると、第１の画像データや第２の画像データである表示画像データを所定の倍率で拡大した第２の画像データを生成し、生成した第２の画像データを表示データ生成部７３に出力する。なお、特定操作に対応する操作の情報は、予め設定された診断用データを生成するために通常最後に行われる画像処理の操作の情報のことである。
【００２９】
表示情報作成部７２は、画像処理のメニューを表わした文字情報及びこのメニューに対応する彩られたアイコン等の画像処理を行うための操作情報、画像データ処理部７１から出力された表示画像データから診断用データを生成するためのアイコンの操作情報などモニタ７５の画面に表示する様々な表示情報を作成して表示データ生成部７３に出力する。
【００３０】
表示データ生成部７３は、画像データメモリ領域及び表示情報メモリ領域を有する表示データ記憶回路７３ａを備え、画像データ処理部７１から出力された表示画像データを表示データ記憶回路７３ａの画像データメモリ領域に保存する。また、表示情報作成部７２から出力された表示情報を表示データ記憶回路７３ａの表示情報領域に保存する。そして、表示データ記憶回路７３ａに保存した表示画像データ及び表示情報により構成される表示データを生成し、その生成した表示データを変換回路７４に出力する。
【００３１】
また、操作部８から診断操作が行われると、画像データ処理部７１から出力された表示画像データ及び表示情報作成部７２から出力された表示情報に基づいて診断用データを生成する。そして、生成した診断用データを変換回路７４に出力する。
【００３２】
更に、操作部８から特定操作が行われると、画像データ処理部７１から出力された第２の画像データ及び表示情報作成部７２から出力された表示情報に基づいて診断用データを生成する。そして、その生成した診断用データを変換回路７４に出力する。
【００３３】
ここで、診断表示モードの中から表示情報マスクモードが予め設定されている場合、画像データ処理部７１から出力された表示画像データを表示データ記憶回路７３ａの画像データメモリ領域に保存すると共に、表示情報作成部７２から出力された表示情報を表示データ記憶回路７３ａの表示情報領域に保存する。そして、表示データ記憶回路７３ａに保存した表示画像データ及び表示情報の表示情報の部分を、彩りを抑えた例えば黒色や灰色等の所定の色又は網点、斜線、格子等の所定の模様でマスク処理した第１の診断用データを生成する。
【００３４】
また、診断表示モードの中から拡大モードが予め設定されている場合、画像データ処理部７１から出力された所定の倍率で拡大した第２の画像データを表示データ記憶回路７３ａの画像データメモリ領域及び表示情報メモリ領域に保存する。そして、表示データ記憶回路７３ａに保存した第２の画像データで構成される第２の診断用データを生成する。
【００３５】
更に、診断表示モードの中から表示情報及び付帯情報マスクモードが予め設定されている場合、画像データ処理部７１から出力された表示画像データを表示データ記憶回路７３ａの画像データメモリ領域に保存すると共に、表示情報作成部７２から出力された表示情報を表示データ記憶回路７３ａの表示情報領域に保存する。そして、表示データ記憶回路７３ａに保存した表示画像データ及び表示情報の、表示情報及び表示画像データの付帯情報の部分を所定の色又は模様でマスク処理した第３の診断用データを生成する。
【００３６】
変換回路７４は、表示データ生成部７３から出力された表示データや診断用データをＤ／Ａ変換し、更にＴＶフォーマット変換を行なって映像信号を生成した後、モニタ７５に出力する。
【００３７】
モニタ７５は、液晶パネル或いはＣＲＴを備え、変換回路７４から出力された映像信号に変換された表示データや診断用データを表示する。また、診断表示モード及び特定操作の対象となる操作情報を設定する診断用データ設定画面を表示する。
【００３８】
操作部８は、キーボード、トラックボール、ジョイスティック、マウスなどの入力デバイスや表示パネル、更には、各種スイッチ等を備えている。そして、診断表示モードの設定操作、特定操作の対象となる操作情報の設定操作、撮影条件の設定操作、各種コマンドの入力操作等を行う。
【００３９】
システム制御部９は、図示しないＣＰＵ及び記憶回路９ａを備え、操作部８から供給される様々な設定操作や入力操作による入力情報を一旦記憶回路９ａに保存した後、これらの入力情報に基づいてシステム全体の制御を行なう。
【００４０】
次に、図２を参照して、画像表示部７のモニタ７５に表示される診断用データ設定画面の一例を説明する。図２に示した診断用データ設定画面９０は、診断表示モードを設定するための「診断モード」の欄と、特定操作の対象となる操作情報を設定するための「特定操作」の欄と、各欄に対応する診断表示モード及び操作情報を選択するためのダイアログボックス９１及び９２とにより構成される。
【００４１】
「診断モード」の欄では、第１の診断用データを生成するための「表示情報マスクモード」、第２の診断用データを生成するための「拡大モード」、第３の診断用データを生成するための「表示情報及び付帯情報マスクモード」の中から例えば「表示情報マスクモード」を選択する操作が行われると、選択入力された「表示情報マスクモード」がシステム制御部９の記憶回路９ａに保存される。また、「診断モード」の欄に対応するダイアログボックス９１内に「表示情報マスクモード」が表示される。
【００４２】
「特定操作」の欄では、画像処理するための操作情報の中から例えば「階調操作」の操作情報を選択する操作が行われると、選択入力された「階調操作」の情報が記憶回路９ａに保存される。また、「特定操作」の欄に対応するダイアログボックス９２内に「階調操作」が表示される。
【００４３】
以下、図１乃至図７を参照して、Ｘ線画像診断装置１００の動作の一例を説明する。図３は、Ｘ線画像診断装置１００の動作を示したフローチャートである。図４は、モニタ７５の画面に表示された表示データの一例を示した図である。図５は、モニタ７５の画面に表示された第１の診断用データの一例を示した図である。図６は、モニタ７５の画面に表示された第２の診断用データの一例を示した図である。図７は、モニタ７５の画面に表示された第３の診断用データの一例を示した図である。
【００４４】
システム制御部９の記憶回路９ａには、操作部８からの操作により、図２の診断用データ設定画面９０で選択入力された「表示情報マスクモード」及び「階調操作」の入力情報が保存されている。また、被検体Ｐの撮影条件の入力情報が保存されている。
【００４５】
図３において、操作部８から撮影開始の操作が行われると、Ｘ線画像診断装置１００は撮影及び表示の動作を開始する（ステップＳ１）。
【００４６】
システム制御部９は、撮影部６及び画像表示部７に被検体Ｐの撮影を指示する。そして、撮影条件に含まれる天板位置や撮影角度の情報を機構部３のＣアーム・天板機構制御部３３に供給する。Ｃアーム回動機構３２は、Ｃアーム・天板制御部３３の制御信号により、天板３１ａを移動して天板位置に設定すると共に、Ｃアーム３２ａを回動して撮影角度に設定する。
【００４７】
システム制御部９は、被検体ＰにＸ線を照射させるための制御信号を撮影部６における高電圧発生部４のＸ線制御器４２に出力する。高電圧発生部４の高電圧発生器４１は、Ｘ線制御器４２からＸ線照射の情報に基づいて、Ｘ線照射用の高電圧をＸ線発生部１に供給する。Ｘ線発生部１は、高電圧発生器４１から供給される高電圧に応じたＸ線を被検体Ｐに照射する。
【００４８】
Ｘ線検出部２は、被検体Ｐを透過したＸ線を検出してＸ線投影データを生成し、生成したＸ線投影データを画像データ生成部５へ出力する。画像データ生成部５は、Ｘ線検出部２から出力されたＸ線投影データから画像データを生成する。次いで、システム制御部９から供給されるその画像データに対応する撮影条件を付帯して第１の画像データを生成し、生成した第１の画像データを画像データ記憶回路５１に保存すると共に画像表示部７に出力する（ステップＳ２）。
【００４９】
画像表示部７の画像データ処理部７１は、画像データ生成部５から出力された第１の画像データを表示データ生成部７３に出力する。表示情報作成部７２は、画像データ生成部５から出力された第１の画像データに対応する表示情報を作成して表示データ生成部７３に出力する。表示データ生成部７３は、画像データ処理部７１から出力された第１の画像データを表示データ記憶回路７３ａの画像データメモリ領域に保存すると共に、表示情報作成部７２から出力された表示情報を表示データ記憶回路７３ａの表示情報メモリ領域に保存する。そして、表示データ記憶回路７３ａに保存した第１の画像データ及び表示情報により構成される表示データを生成して表示データを変換回路７４に出力する。
【００５０】
変換回路７４は、表示データ生成部７３から出力された表示データをＤ／Ａ変換し、更にＴＶフォーマット変換を行なって映像信号を生成した後、モニタ７５に出力する。モニタ７５は、変換回路７４から出力された映像信号に変換された表示データを表示する（ステップＳ３）。
【００５１】
図４は、モニタ７５の画面に表示された表示データの一例を示した図である。この画面７６は、表示データ記憶回路７３ａの画像データメモリ領域に対応する第１の表示エリア７９、及び第１の表示エリア７９の周辺に配置された表示データ記憶回路７３ａの表示情報メモリ領域に対応する第２の表示エリア８０により構成される表示エリア７７を備えている。
【００５２】
表示エリア７７には、表示データ生成部７３で生成された表示データ７８が表示されている。第１の表示エリア７９には、表示データ７８の第１の画像データ８１が表示され、第２の表示エリア８０には表示データ７８の様々なアイコン７２ａや「ファイル」、「編集」、「観察」、「ウインドウ」、「画像操作」等の表示情報が表示されている。
【００５３】
第１の表示エリア７９は、第１ａの表示エリア７９ａ及びこの第１ａの右側に配置される第１ｂの表示エリア７９ｂにより構成される。そして、第１ａの表示エリア７９ａには第１の画像データ８１の画像データ８１ａが表示され、第１ｂの表示エリア７９ｂには画像データ８１ａの付帯情報８１ｂが表示されている。
【００５４】
次に、操作部８のマウスを用いて第２の表示エリア８０に表示された例えば階調操作用のアイコン７２ａをクリックして特定操作である階調操作が行われると、画像データ処理部７１は、第１の表示エリア７９に表示された第１の画像データ８１を階調して第２の画像データを生成し、生成した第２の画像データを表示データ生成部７３に出力する（図３のステップＳ４）。
【００５５】
表示情報作成部７２は、表示情報を作成して表示データ生成部７３に出力する。表示データ生成部７３は、画像データ処理部７１から出力された第２の画像データを表示データ記憶回路７３ａの画像データメモリ領域に保存すると共に、表示情報作成部７２から出力された表示情報を表示データ記憶回路７３ａの表示情報メモリ領域に保存する。更に、表示データ記憶回路７３ａに保存した第２の画像データ及び表示情報の表示情報の部分を例えば黒色でマスク処理した第１の診断用データを生成し、生成した第１の診断用データを変換回路７４に出力する。
【００５６】
変換回路７４は、表示データ生成部７３から出力された第１の診断用データをＤ／Ａ変換し、更にＴＶフォーマット変換を行なって映像信号を生成した後、モニタ７５に出力する。モニタ７５は、変換回路７４から出力された第１の診断用データを表示する（図３のステップＳ５）。
【００５７】
図５は、モニタ７５の画面に表示された第１の診断用データの一例を示した図である。この画面７６ａの表示エリア７７には、表示データ生成部７３で生成された第１の診断用データ７８ａが表示されている。
【００５８】
第１の表示エリア７９には、第１の診断用データ７８ａの第２の画像データ８２が表示され、第２の表示エリア８０は表示データ生成部７３のマスク処理により黒色表示されている。
【００５９】
第１の表示エリア７９の第１ａの表示エリア７９ａには第２の画像データ８２の画像データ８２ａが表示され、第１ｂの表示エリア７９ｂには画像データ８２ａの付帯情報８１ｂが表示されている。
【００６０】
なお、ステップＳ４で階調操作の代わりに図４の画面７６の第２の表示エリア８０に表示された診断用データを生成するためのアイコン７２ａをクリックする診断操作を操作部８から行うと、同様にして画面７６ａが表示される。
【００６１】
このように、第１の表示エリア７９に第２の画像データ８２を表示すると共に、表示情報が表示された第２の表示エリア８０に彩りを抑えた所定の色又は模様データを表示することができる。
【００６２】
図３のステップＳ６の後に、図５の画面７６ａに表示された第１の診断用データ７８ａが被検体Ｐの診断に有用なデータであると判断されたときに、撮影終了の操作を行う。操作部８から撮影終了の操作が行われると、システム制御部９は、撮影部６及び画像表示部７に撮影及び表示の停止を指示する。そして、Ｘ線画像診断装置１００は、動作を終了する（図３のステップＳ６）。
【００６３】
撮影終了後、操作部８から第１の診断用データ７８ａを表示させる操作を行うと、表示データ生成部７３は、表示データ記憶回路７３ａから第１の診断用データ７８ａを読み出して変換回路７４を介してモニタ７５に表示する。被検体Ｐの担当医は、モニタ７５に表示された第１の診断用データ７８ａを読影して被検体Ｐの診断を行う。
【００６４】
なお、図２の診断用データ設定画面９０で診断表示モードの中から「拡大モード」を選択入力した後、ステップＳ１乃至Ｓ３を実行し、更にステップＳ４において操作部８から階調操作が行われると、画像データ処理部７１は第１の画像データ８１を階調した後、所定の倍率で第１の画像データ８１を拡大した第２の画像データを生成し、生成した第２の画像データを表示データ生成部７３に出力する。
【００６５】
表示データ生成部７３は、画像データ処理部７１から出力される第２の画像データを表示データ記憶回路７３ａの画像データメモリ領域及び表示情報メモリ領域に保存する。そして、表示データ記憶回路７３ａに保存した第２の画像データにより構成される第２の診断用データを生成し、生成した第２の診断用データを変換回路７４を介してモニタ７５に表示する。
【００６６】
図６は、モニタ７５の画面に表示される第２の診断用データの一例を示した図である。この画面７６ｂの表示エリア７７には、表示データ生成部７３で生成された第２の診断用データ７８ｂが表示される。この表示エリア７７は、第３の表示エリア８３及び第４の表示エリア８４により構成される。
【００６７】
そして、第３の表示エリア８３には、図５の画面７６ａに表示された画像データ８２ａが所定の倍率で拡大された第２の診断用データ７８ｂの画像データ８２ｂが表示され、第４の表示エリア８４には画像データ８２ｂの付帯情報８１ｂが表示される。更に、操作部８から付帯情報消去操作が行われると、第４の表示エリア８４は彩りを抑えた所定の色又は模様が表示される。
【００６８】
このように、第１の画像データ８１及び表示情報が表示された表示エリア７７に画像データ８２ｂ及び付帯情報８１ｂを表示することができる。更に、付帯情報８１ｂが表示された第４の表示エリア８４に所定の色又は模様を表示することができる。
【００６９】
次に、図２の診断用データ設定画面９０で診断表示モードの中から「表示情報及び付帯情報マスクモード」を選択入力した後、ステップＳ１乃至Ｓ４を実行すると、ステップＳ５において、表示情報作成部７２は、表示情報を生成して表示データ生成部７３に出力する。表示データ生成部７３は、画像データ処理部７１から出力された第２の画像データ８２を表示データ記憶回路７３ａの画像データメモリ領域に保存すると共に、表示情報作成部７２から出力された表示情報を表示データ記憶回路７３ａの表示情報メモリ領域に保存する。更に、表示データ記憶回路７３ａに保存した第２の画像データ８２及び表示情報の内の表示情報及び付帯情報８１ｂの部分を例えば黒色でマスク処理した第３の診断用データを生成し、生成した第３の診断用データを変換回路７４を介してモニタ７５に表示する。
【００７０】
図７は、モニタ７５の画面に表示される第３の診断用データの一例を示した図である。この画面７６ｃの表示エリア７７には、表示データ生成部７３で生成された第３の診断用データ７８ｃが表示される。また、第１ａの表示エリア７９ａには、第３の診断用データ７８ｃの画像データとして図５の画面７６ａに表示された画像データ８２ａが表示され、第２及び第１ｂの表示エリア８０，７９ｂは、表示データ生成部７３のマスク処理により黒色表示される。
【００７１】
このように、第１ａの表示エリア７９ａに画像データ８２ａを表示すると共に、表示情報及び付帯情報８１ｂが表示された第２及び第１ｂの表示エリア８０，７９ｂに所定の色又は模様データを表示することができる。
【００７２】
以上述べた本発明の実施例によれば、操作部８からの診断操作により、撮影部６で生成された第１の画像データ又は画像データ処理部７１で画像処理された第２の画像データをモニタ７５の第１の表示エリア７９に表示すると共に、表示情報が表示された第２の表示エリア８０に予め設定された彩りを抑えた所定の色又は模様を表示することができる。
【００７３】
また、操作部８からの特定操作により、第２の画像データを第１の表示エリア７９に表示すると共に第２の表示エリア８０を所定の色又は模様を表示することができる。
【００７４】
更に、第１又は第２の画像データ、及び表示情報が表示された表示エリア７７に拡大画像データ及び付帯情報を表示することができる。また、付帯情報が表示された第４の表示エリア８４に所定の色又は模様を表示することができる。
【００７５】
更にまた、第１ａの表示エリア７９ａに第１又は第２の画像データの画像データを表示すると共に、表示情報及び第１又は第２の画像データの付帯情報が表示された第２及び第１ｂの表示エリア８０，７９ｂに予め設定された所定の色又は模様データを表示することができる。
【００７６】
これにより、目障りな表示情報、更には付帯情報がモニタ７５の画面から取り除かれ、診断に専念することが可能となり、診断を迅速に行うことができる。
【図面の簡単な説明】
【００７７】
【図１】本発明の実施例に係るＸ線画像診断装置の構成を示すブロック図。
【図２】本発明の実施例に係るモニタに表示される診断用データ設定画面の一例を示す図。
【図３】本発明の実施例に係るＸ線画像診断装置の動作の一例を示すフローチャート。
【図４】本発明の実施例に係るモニタの画面に表示される表示データの一例を示す図。
【図５】本発明の実施例に係るモニタの画面に表示される第１の診断用データの一例を示す図。
【図６】本発明の実施例に係るモニタの画面に表示される第２の診断用データの一例を示す図。
【図７】本発明の実施例に係るモニタの画面に表示される第３の診断用データの一例を示す図。
【符号の説明】
【００７８】
Ｐ  被検体
１  Ｘ線発生部
２  Ｘ線検出部
３  機構部
４  高電圧発生部
５  画像データ生成部
６  撮影部
７  画像表示部
８  操作部
９  システム制御部
９ａ  記憶回路
１１  Ｘ線管
１２  Ｘ線絞り器
２１  イメージインテンシファイア
２２  テレビカメラ
３１  天板移動機構
３１ａ  天板
３２  Ｃアーム回動機構
３２ａ  Ｃアーム
３３  Ｃアーム・天板機構制御部
４１  高電圧発生器
４２  Ｘ線制御器
５１  画像データ記憶回路
７１  画像データ処理部
７２  表示情報作成部
７３  表示データ生成部
７３ａ  表示データ記憶回路
７４  変換回路
７５  モニタ
１００  Ｘ線画像診断装置
【図１】
2008073086.tif 000003
【図２】
2008073086.tif 000004
【図３】
2008073086.tif 000005
【図４】
2008073086.tif 000006
【図５】
2008073086.tif 000007
【図６】
2008073086.tif 000008
【図７】
2008073086.tif 000009